(57)【要約】【課題】季節ごとの部屋内の温度変化に対応できる、スノコ部材及び使用するスノコベッドを提供する。【解決手段】複数の単板を所定の間隔をあけて平行に配置した上板と、該上板の下方で直交して配置された３枚の受け板とからなるスノコ部材であって、前記上板の長手方向と幅方向の長さの比が２：１であり、且つ前記受け板の高さが少なくとも６０ｍｍ以上であるスノコ部材を、少なくとも４個配置し、平面視田の字に配置して連結するか、もしくは幅方向に並べて連結する。【選択図】図１
0003149932.tif 000002
【実用新案登録請求の範囲】
【請求項１】
複数の単板を所定の間隔をあけて平行に配置した上板と、該上板の下方で直交して配置された３枚の受け板とからなるスノコ部材であって、前記上板の長手方向と幅方向の長さの比が２：１であり、且つ前記受け板の高さが少なくとも６０ｍｍ以上であることを特徴とするスノコ部材。
【請求項２】
前記スノコ部材の上板側の四隅は面取り加工され、且つ前記受け板は前記上板周囲から所定の間隔をあけて取付けられたことを特徴とする請求項１記載のスノコ部材。
【請求項３】
請求項１乃至２に記載のスノコ部材を少なくとも４個配置し、平面視田の字に配置して連結するか、もしくは幅方向に並べて連結することを特徴とするスノコベッド。
【考案の詳細な説明】
【技術分野】
【０００１】  本考案は、木材を使用するスノコ部材であって、とくにベッドとして好適に使用できるスノコ部材及びこれを使用するベッドに関する。
【背景技術】
【０００２】  従来より、木製のスノコを利用した床材、マット、ベッドなどが数多く提案されている。例えば少なくとも４本の支柱を互いに側板で連結してなる枠体と、同枠体に内嵌されたすのこ形状の床部とで構成されたベッド装置がある（特許文型１参照。）。また、長尺側を３分割して製作した組立式小型ベッド枠もある（特許文献２参照。）。【０００３】
【特許文献１】実登３１４５３７７号
【特許文献２】実登３０８０９７４号
【考案の開示】
【考案が解決しようとする課題】
【０００４】  しかしながら、上記特許文献に記載されたベッド装置及びベッド枠はいずれもベッド枠体を有し、その上面に従来のスノコ材を載置して使用するものであり、ふとん等の寝具の下側から効率よく乾燥させることができるものであるが、ベッド枠の形状が一定であるため季節ごとの部屋内の温度変化に対しては何ら考慮されていないものであり、特に冬場に使用すると、側面からの通気によって寝具が冷やされるという欠点があった。【０００５】  上記問題点に鑑み、本考案者は季節による部屋内の温度変化に対応して、枠体の方向を変化させて組み合わせることで通気を制御できると共に、枠体と一体構造のスノコ部材及びこれを使用するベッドを提供するにいたった。
【課題を解決するための手段】
【０００６】  そのため本考案は、複数の単板を所定の間隔をあけて平行に配置した上板と、該上板の下方で直交して配置された３枚の受け板とからなるスノコ部材であって、前記上板の長手方向と幅方向の長さの比が２：１であり、且つ前記受け板の高さが少なくとも６０ｍｍ以上であることを特徴とする。【０００７】  また、前記スノコ部材の上板側の四隅は面取り加工され、且つ前記受け板は前記上板周囲から所定の間隔をあけて取付けられたことを特徴とする。【０００８】  そして、スノコ部材を少なくとも４個配置し、平面視田の字に配置して連結するか、もしくは幅方向に並べて連結することを特徴とする。【０００９】  尚、本スノコ部材の材料としては、杉材の間伐材が好適に使用できる。
【考案の効果】
【００１０】  本考案のスノコ部材は、複数の単板を所定の間隔をあけて平行に配置した上板と、該上板の下方で直交して配置された３枚の受け板とからなるスノコ部材であって、前記上板の長手方向と幅方向の長さの比が２：１であり、且つ前記受け板の高さが少なくとも６０ｍｍ以上であるため、少なくとも４個配置し、平面視田の字に配置して連結するか、もしくは幅方向に並べて連結し、ベッドとして簡単に組み立てることができる。【００１１】  しかも、上記スノコ部材を並べて連結しベッドとして構成することで、受け板の並びを夫々異なる方向とすることができるため、通気を受け板によって制御することができるという優れた効果を有する。【００１１】  さらに、スノコ部材の上板側の四隅は面取り加工され、且つ前記受け板は前記上板周囲から所定の間隔をあけて取付けられており、スノコベッドとして使用する際に、ふとん等の寝具がスノコ部材の角で損傷する虞もない。
【考案を実施するための最良の形態】
【００１２】  以下、本考案の実施の形態を、図面に示す実施例に基づいて説明するが、本考案が本実施例に限定されないことは言うまでもない。図１は本考案に係るスノコ部材を示す斜視図、図２は図１の説明図、図３は図１のスノコ部材を平面視田の字に配置して構成したスノコベッドを示す平面図、図４は図１のスノコ部材を幅方向に４枚配置して構成したスノコベッドの平面図である。
【実施例】
【００１３】  図１に示すように、本考案のスノコ部材１は木製の薄板材からなる複数の上板２を所定の間隔にて平行に配置され、一端面側から３本の角材からなる受け板３が丸釘（図示せず）によって固定されている。【００１４】  図２において、（ａ）はスノコ部材１の平面説明図を示し、（ｂ）は側面説明図を示し、（ｃ）は正面説明図を示している。図に示ようにスノコ部材１の角部４は、寝具等に傷がつかないように、予め鉋などによって面取り加工されており、また受け板３は、スノコ部材１の幅方向の長さに対してそれぞれ隙間５をあけた長さに加工されて取付けられている。また、受け板３の高さは約６０ｍｍとされている。尚、本考案のスノコ部材１に使用される板材はいずれも杉材の間伐材が好適に使用される。【００１５】  上記の構成からなる本考案のスノコ部材１は、図１に示すように幅方向からの通気性が良く、また長手方向の通気はほとんど遮断され、後述するベッドとして好適に使用される。【００１６】  図３乃至図４は、本考案のスノコ部材を使用するスノコベッドを示す説明図である。図３に示すように、本考案のスノコベッド６はスノコ部材１を平面視田の字形状に４個配置してそれぞれ接続されている。この構成によって、受け板３はスノコベッド６の幅方向と平行に並ぶため、この受け板３に沿って空気の流通が図られ、上板２に寝具を載せて使用すれば、寝具と床面方向間の通気が図られて涼しい環境で睡眠できる。とくに夏などの気温が高い季節においては、寝具に吸着される湿気が容易に放散される。【００１７】  図４は、スノコ部材１を幅方向に４個配置して接続したスノコベッド６を示しており、上記した図３と同じ面積のスノコベッドが形成される。しかも長手方向に沿って受け板３が平行に並び、幅方向からの空気の流通が大幅に制限されるため、とくに冬の季節の使用の際に、寝具と床面方向間の通気を軽減することが可能となり、寒さを和らげることができる。【００１８】  以上、本考案のスノコ部材及びこれを使用するスノコベッドによれば、上板の長手方向と幅方向の長さの比が２：１であり、且つ前記受け板の高さが少なくとも６０ｍｍ以上であるため、少なくとも４個配置し、平面視田の字に配置して連結するか、もしくは幅方向に並べて連結し、ベッドとして簡単に組み立てることができる。しかも、この配置方向によって、受け板の並びを変化させ、通気を制御することができる。
【産業上の利用可能性】
【００１９】  本考案の、スノコ部材及びこれを使用するベッドは、杉の間伐材を有効に利用して容易に作成することが可能であり、廃棄物の再利用を促進できる。
【図面の簡単な説明】
【００２０】
【図１】本考案に係るスノコ部材を示す斜視図である。
【図２】図１の説明図である。
【図３】図１のスノコ部材を平面視田の字に配置して構成したスノコベッドを示す平面図である。
【図４】図１のスノコ部材を幅方向に４枚配置して構成したスノコベッドの平面図である。
【符号の説明】
【００１６】    １      スノコ部材
２      上板
３      受け板
４      角部
５      隙間
６      スノコベッド
【図１】
0003149932.tif 000003
【図２】
0003149932.tif 000004
【図３】
0003149932.tif 000005
【図４】
0003149932.tif 000006